(57)【要約】【課題】一般的な半掛け式メガネフレームの耳当て部では、動きの激しい使用条件下では快適な掛け心地を保持することが困難である。そのため、半掛け式メガネフレームの耳当て部に使用出来る互換性を持ち、且つ又、圧迫感の少ない快適な掛け心地を得られる耳当て部を得る。【解決手段】メガネの耳当て部が、硬質素材の弓部と柔軟な素材の弦部との組み合わせからなるループ形の構造の物において、その耳当て部の連結部口から弓部先端付近まで通じる穴を備え、この穴にテンプルの連結部を挿入連結した。さらに、弦部の長さの調節を可能にした。【選択図】　　図４
2004094180.tif 000002
【特許請求の範囲】
【請求項１】
メガネの耳当て部（１）が硬質素材の弓部（１ａ）と柔軟な素材の弦部（１ｂ）との組み合わせからなるループ形の構造の物において、その耳当て部（１）の連結部口（１１）から弓部（１ａ）の先端付近まで通じる穴（７）を備えているメガネの耳当て部。
【請求項２】
メガネの耳当て部（１）が硬質素材の弓部（１ａ）と柔軟な素材の弦部（１ｂ）との組み合わせからなるループ形の構造の物において、その弦部（１ｂ）の長さを調節できる構造のメガネの耳当て部。
【発明の詳細な説明】
【０００１】
【発明の属する技術分野】
本発明は、メガネフレームにおける耳当て部に関するものである。
【０００２】
【従来の技術】以下、従来の実施例を図に基づいて構成を説明する。
従来のメガネの種類で、メガネの耳当て部が硬質素材の弓部と、柔軟な素材の弦部との組み合わせからなるループ形の構造の物においては、図１０の、テンプルと耳当て部が排他的な設計の連結部（１０、１１）で連結されている物と、図１１のようにテンプルと耳当て部が一体で成型されている物の２通りがあるが、両方とも、一般的なメガネフレームの耳当て部とは互換性が無い専用のメガネフレームとなっている。また、両方とも、柔軟な弦部（１ｂ）の長さを調節する事が出来ないため、掛け心地の調節が出来ない。
【０００３】
【発明が解決しようとする課題】
一般的な半掛け式メガネフレーム図９の耳当て部（５）の物は、動きの激しい使用条件下では快適な掛け心地を保持することが困難である。そのため、半掛け式メガネフレーム図９の耳当て部に使用出来る互換性を持ち、且つ又、圧迫感の少ない快適な掛け心地を得られる耳当て部が必要であった。
【０００４】
【課題を解決するための手段】
図２を例に説明すると、この発明では耳当て部（１）に連結部口（１１）から弓部（１ａ）の先端付近までに通じる、穴（７）を設け、この穴に、テンプルの連結部（６）を挿入連結することにより、使用可能にしたものである。
【０００５】
さらに、弦部（１ｂ）の長さを調節することにより、弦部（１ｂ）と肌の接触する圧力を分散させ、圧迫感の少ない快適な掛け心地を得る事が出来るものである。
【０００６】
【発明の実施の形態】
本発明は、一般的なメガネの耳当て部として使用するものである。
【０００７】
この発明の耳当て部は、子供用から大人用まで様々なメガネフレームに取り付けて使用できる他、既製の半掛け式メガネフレームの耳当て部を本発明の耳当て部に取り替えることも出来る。
【０００８】
以下、本発明の実施例として図２の展開図に基づいて説明する。
これは、組み立て前のテンプル（３）を真っ直ぐに伸ばした状態の側面図と、耳当て部（１）を弓部（１ａ）と弦部（１ｂ）に展開した状態を説明したものである。弓部（１ａ）はテンプル（３）を挿入連結した後、使用者に適した形に曲げられる。つぎに、弦部（１ｂ）を適した長さに切断し、弦を固定する穴（８）に繋留して完成させる。
これにより、弦部（１ｂ）と肌の接触する圧力を分散させ、圧迫感の少ない快適な掛け心地を得る事が出来る。
【０００９】
以下、本発明の実施例として図３に基づいて説明する。
図３は図２を組み立て、完成させた物である。
【００１０】
以下、本発明の実施例として耳当て図４に基づいて説明する。
図４の図（Ａ）の弓部（１ａ）はテンプルを挿入連結した後、使用者に適した形に曲げられる。つぎに、チューブ状の弦部（１ｂ）を適した長さに切断し、その両端を弓部の突起（１２）に差し込み固定し、図（Ｂ）のように完成する。
【００１１】
以下、本発明の実施例として耳当て図５に基づいて説明する。
図５の図（Ａ）の弓部（１ａ）はテンプルを挿入連結した後、使用者に適した形に曲げられる。つぎに、弦部（１ｂ）を適した長さに切断し、弦（１ｂ）の両端の糸（１３）を弓部（１ａ）に設けた穴（８）に繋留して、図（Ｂ）のように完成する。
【００１２】
以下、本発明の実施例として耳当て図６に基づいて説明する。
図６の図（Ａ）の弓部（１ａ）はテンプルを挿入連結した後、使用者に適した形に曲げられる。つぎに、弦端部の固定用ピン（１４）を穴（８ａ）に固定し、もう一方の弦端部の調節部用固定ピン（１５）を複数の穴（８ｂ）の何れから選択固定し、図（Ｂ）のように完成する。
【００１３】
以下、本発明の実施例として耳当て図７に基づいて説明する。
図７の図（Ａ）の弓部（１ａ）はテンプルを挿入連結した後、使用者に適した形に曲げられる。つぎに、弦部は端部（９）を弓部に設けた穴（８）に繋留し、もう一方の端部に設けた糸巻き部（１６）を弓部の糸巻き固定穴（８ｃ）に取り付ける。弦部の長さ調節は糸巻き部の回転によって行う。図（Ｂ）のように完成する。
【００１４】
以下、本発明の実施例として耳当て図８に基づいて説明する。
図８の図（Ａ）の弓部（１ａ）はテンプルを挿入連結した後、使用者に適した形に曲げられる。つぎに、弓部に設けた雄ネジ溝（１７）上を弦端部に繋がれた雌ネジスリーブ（１８）が回転移動することによって弦部の長さを調節するものである。弦端部に取り付けられたキャップ（１９）を弓部の先端部（２０）に繋留し、図（Ｂ）のように完成する。
【発明の効果】
本発明は、以上説明したような形態で実施され、以下に記載されるような効果を奏する。
【００１５】
圧迫感の少ない快適な掛け心地性を持つ、硬質素材の弓部と、柔軟な素材の弦部の組み合わせからなるループ形の構造の耳当て部が、一般的なメガネフレームに使用出来る。
【００１６】
弦部の長さの調節によって、弦部（１ｂ）と肌の接触する圧力を分散させ、圧迫感の少ない快適な掛け心地を得る事が出来る。
【図面の簡単な説明】
【図１】本発明の耳当て部を取り付けた、メガネフレームの斜視図である。
【図２】真っ直ぐに伸ばした状態のテンプル側面図と、耳当て部を示した展開図である。
【図３】図２を組み立てた状態を示した側面図である。又、実施例である。
【図４】（Ａ）は耳当て部を示した展開図である。又、（Ｂ）はその実施例である。
【図５】（Ａ）は耳当て部を示した展開図である。又、（Ｂ）はその実施例である。
【図６】（Ａ）は耳当て部を示した展開図である。（Ｂ）はその実施例である。又、作動状態を示す説明図である。
【図７】（Ａ）は耳当て部を示した展開図である。（Ｂ）はその実施例である。又、作動状態を示す説明図である。
【図８】（Ａ）は耳当て部を示した展開図である。（Ｂ）はその実施例である。又、作動状態を示す説明図である。
【図９】一般的な半掛け式メガネフレームを示した側面図である。
【図１０】テンプルと耳当て部が排他的な設計の連結部で連結されている従来技術を示した説明図である。
【図１１】テンプルと耳当て部を一体成型で製造した従来技術を示した説明図である。
【符号の説明】
１　　本発明のメガネの耳当て部
１ａ　耳当て部の弓部
１ｂ　耳当て部の弦部
２　　レンズ
３　　テンプル
４　　ブリッヂ
５　　一般的な半掛け式メガネフレームの耳当て部
６　　テンプルの連結部
７　　連結部口から弓部の先端付近までに通じる穴
８　　弦を固定する穴
８ａ　固定用ピンを固定する穴
８ｂ　複数の穴
８ｃ　糸巻き固定穴
９　　弦の端部
１０　　従来技術のテンプル側の連結部
１１　　耳当て部の連結部口
１２　　弦を差し込む弓部の突起
１３　　糸
１４　　固定用ピン
１５　　調節部用固定ピン
１６　　糸巻き部
１７　　弓部の雄ネジ溝
１８　　雌ネジスリーブ
１９　　キャップ
２０　　弓部の先端部
Ａ　　耳当て部を示した展開図
Ｂ　　実施例、及び、作動状態を示す説明図
【図１】
2004094180.tif 000003
【図２】
2004094180.tif 000004
【図３】
2004094180.tif 000005
【図４】
2004094180.tif 000006
【図５】
2004094180.tif 000007
【図６】
2004094180.tif 000008
【図７】
2004094180.tif 000009
【図８】
2004094180.tif 000010
【図９】
2004094180.tif 000011
【図１０】
2004094180.tif 000012
【図１１】
2004094180.tif 000013